(57)【要約】      （修正有）【課題】廃油から製造される高級感のある手作りの石鹸の提供。【解決手段】苛性ソーダ１を作業用の容器に入れ、この中にクエン酸とリンゴ酢入りの水溶性２量体鉄塩が混合された混合水２を添加し、均等になるようにかき混ぜる。この中に無水エタノール３を添加し軽くかき混ぜる。これに天ぷら揚げに使用された白ごま油４を添加し、１時間程度かき混ぜ、粘液状態にさせる。この粘液に、コーヒー液抽出に使用したコーヒーかすを炭化して取り出されたコーヒー豆酢液５を添加し１０分程度攪拌する。これを型に流し２〜３週間程度寝かせた後、ビニール袋に入れ１ヶ月程度乾燥させ、固形化し、石鹸とする。【選択図】図１
2006104247.tif 000002
【特許請求の範囲】
【請求項１】
苛性ソーダ、及びクエン酸とリンゴ酢入りの水溶性２量体鉄塩が主として混合された混合水、及び無水エタノール、及び１度天ぷら揚げに使用された白ごま油、及びコーヒー液抽出に使用したコーヒーかすを炭化して取り出されたコーヒー豆酢液、これらが混入れて固形化して成ることを特徴とした天ぷらの廃油を用いた石鹸。
【請求項２】
苛性ソーダを作業用の容器に入れ、該容器中の苛性ソーダにクエン酸とリンゴ酢入りの水溶性２量体鉄塩が主として混合された混合水を混入し均等になるようにかき混ぜ、該水溶性２量体鉄塩の混合水が混入された混入液に無水エタノールを混入し軽くかき混ぜ、該無水エタノール混入液に１度天ぷら揚げに使用された白ごま油を混入し１時間程度かき混ぜ薄色味をおび粘液状態にさせ、該粘液にコーヒー液抽出に使用したコーヒーかすを炭化して取り出されたコーヒー豆酢液を混入し１０分程度攪拌し、これを型に流し２〜３週間程度寝かせた後、１ヶ月程度乾燥させ固形化して成ることを特徴とした天ぷらの廃油を用いた石鹸の製造方法。
【発明の詳細な説明】
【技術分野】
【０００１】
本発明は、広くは天ぷらを揚げた後の廃油を使用した石鹸に関するものであり、特にホテルのレストラン等での天ぷら揚げを１度のみしたと言う極上の廃油を用いた石鹸に関するものである。就中、油は白ごま油であって水溶性２量体鉄塩水とコーヒー豆酢液とを用いて高品質化した石鹸に関するものである。
【背景技術】
【０００２】
てんぶら揚げに使用した廃油を用いた手作り石鹸は、リサイクルと環境問題の解決で盛んに行われている。しかして、その中で本願発明に最も近いものの一実施例を上げる。これは、以下のごとくに行われる。まず、材料としては以下のものが使われている（石鹸４kg程度に対しての材料の量）。
【０００３】
廃油                                        ２５００ｍｌ
水溶性２量体鉄塩混入の第１の液体            １００ｍｌ
水溶性２量体鉄塩混入の第２の液体            １００ｍｌ
水溶性２量体鉄塩混入の第３の液体（濃縮液）  １袋
苛性ソーダ                                  ４５０ｇ
無水エタノール                              ５０ｍｌ
水溶性２量体鉄塩混入の第４の液体（希釈液）  ９００ｍｌ
（５００  〜  １０００倍）
【０００４】
まず、上記の苛性ソーダと第１の液体と第２の液体と第３の液体と第４の液体を順に作業用の容器に入れ、その苛性ソーダが完全に溶けるまで混ぜる（図２を参照）。
【０００５】
その苛性ソーダが溶けた後無水エタノールを加え軽く混ぜ、更に廃油を加えかき混ぜる（図２を参照）。
【０００６】
上記の石鹸用の混入液にとろみが出てきたら紙箱などの型へ流し込む（図４を参照）。この型には、ゼリーのカップなどを使うと切るタイミングの分からない人には便利である。
【０００７】
その紙箱に流し込んで固まった石鹸は、その紙箱に入れたまま適当な大きさにカットする（図５を参照）。こうして、できあがりとなる。これをビニール袋に入れたままで３〜４ヶ月熟成させると真っ白な石鹸になる（図６を参照）。
【発明の開示】
【発明が解決しようとする課題】
【０００８】
解決しようとする問題点は、これらの石鹸はリサイクルとか環境問題の解決のみで、特殊性がない。それゆえに、それを製造する者も、その石鹸を使う者もボランティア意識のみで満足感は大変に低い。特に、その石鹸に独特の効果があり高級感があれば、それを使用する者はその石鹸に特別な価値観を持つ。それによって、その石鹸を製造する側では、それを立派な事業としての自覚が生まれ、新たな社会的な存在価値が生まれる。このような石鹸を、この分野でも要望されよう。
【課題を解決するための手段】
【０００９】
本発明にかかる天ぷらの廃油を用いた石鹸とその製造方法は、以上の課題を解決するために、以下のごときものとした。すなわちその成分を、通常の石鹸以外にクエン酸とリンゴ酢入りの水溶性２量体鉄塩水、及び１度天ぷら揚げに使用された白ごま油、及びコーヒー液抽出に使用したコーヒーかすを炭化して取り出されたコーヒー豆酢液、としたものである。
【００１０】
以下に、本発明にかかる天ぷらの廃油を用いた石鹸とその製造方法の具体的な構成を詳細に記載する。最初に、本発明の請求項１に記載した発明の構成を説明する。この発明は、まず、苛性ソーダがあり、つぎにクエン酸とリンゴ酢入りの水溶性２量体鉄塩が主として混合された混合水があり、そして無水エタノールがあり、さらに１度天ぷら揚げに使用された白ごま油があり、最後にコーヒー液抽出に使用したコーヒーかすを炭化して取り出されたコーヒー豆酢液がある。こうして、少なくとも、これらが混入されて固形化して成る石鹸である。
【００１１】
つぎに、本発明の請求項２に記載した発明の構成を説明する。この発明は、まず苛性ソーダを作業用の容器に入れる。つぎに、この容器中の苛性ソーダに、クエン酸とリンゴ酢入りの水溶性２量体鉄塩が主として混合された混合水を混入し均等になるようにかき混ぜる。そして、この水溶性２量体鉄塩の混合水が混入された混入液に、無水エタノールを混入し軽くかき混ぜる。さらに、この無水エタノール混入液に、１度天ぷら揚げに使用された白ごま油を混入し、１時間程度かき混ぜ薄色味をおび粘液状態にさせる。最後に、この粘液に、コーヒー液抽出に使用したコーヒーかすを炭化して取り出されたコーヒー豆酢液を混入し１０分程度攪拌する。これを型に流し２〜３週間程度寝かせた後、１ヶ月程度乾燥させ固形化するものである。
【発明の効果】
【００１２】
本発明にかかる天ぷらの廃油を用いた石鹸とその製造方法は、以上のごとくになしたゆえに、上記の課題を解決して以下のごとき多大な効果が生じた。すなわち、この石鹸は、１．アレルギーの肌に優しいので刺激が少ない。２．年寄りのカサカサの皮膚にも潤いがつく。３．苛性ソーダ以外は（エタノールも）口に入れられる物なので害が少ない。４．フケ症にもよい。５．２度洗いするとファンデーションも落ちる。６．食器洗いに使う事も可能。７．洗濯物の部分洗いに使うとよく落ちる。８．ガスレンジ、換気扇等も多くつけるとよく落ちる。などの多方面に役立つものとなった。
【発明を実施するための最良の形態】
【００１３】
天ぷら油の廃油のリサイクルの石鹸ではあるが、それに高い効果を伏して特徴のある石鹸にすると言う目的を、水溶性２量体鉄塩水及び１度天ぷら揚げに使用された白ごま油及びコーヒー豆酢液を使用したことにより達成した。
【実施例１】
【００１４】
しかして、本発明にかかる天ぷらの廃油を用いた石鹸とその製造方法をその具体的な実施例を用いて添付の図面と共に詳細に述べる。最初に、本発明にかかる天ぷらの廃油を用いた石鹸とその製造方法の請求項１に記載した石鹸の発明の構成を説明する。この発明の石鹸の物質は以下の通りである。まず、苛性ソーダ１がある。つぎに、クエン酸とリンゴ酢入りの水溶性２量体鉄塩が主として混合された混合水２がある。しかして、この水溶性２量体鉄塩の混合水２の添加物には、上記のクエン酸とリンゴ酢以外に、本実施例ではリンゴ酸や米須と柿酢と梅酢などがある。
【００１５】
そして、無水エタノール３がある。さらに、１度天ぷら揚げに使用された白ごま油４がある。最後に、コーヒー液抽出に使用したコーヒーかすを炭化して取り出されたコーヒー豆酢液５がある。少なくとも、これらが混入されて固形化して成る石鹸である。
【００１６】
つぎに、本発明にかかる天ぷらの廃油を用いた石鹸とその製造方法の請求項２に記載した方法の発明の一実施例を説明する。この発明は、まず図２に示すように、４５０miの苛性ソーダ１を作業用の容器Ｃに入れる（石鹸４kg程度に対して）。つぎに、この容器Ｃ中の苛性ソーダ１に、これも図２に示すように、クエン酸とリンゴ酢入りの水溶性２量体鉄塩が主として混合された1273mlの混合水２を混入し、図３に示すように均等になるようにかき混ぜる。そして、この水溶性２量体鉄塩の混合水２が混入された混入液に、５０mlの無水エタノール３を混入し軽くかき混ぜる。
【００１７】
さらに、この無水エタノール混入液に、ホテルのレストランなどの高級飲食店の調理場で提供されうるような、１度天ぷら揚げに使用された白ごま油４を3400ml混入し、１時間程度かき混ぜ薄色味をおび粘液状態にさせる。最後に、この粘液に、コーヒー液抽出に使用したコーヒーかすを炭化して取り出されたコーヒー豆酢液５を１００ml混入し１０分程度攪拌する。これを型に流し２〜３週間程度寝かせた後、図７に示すように、ビニール袋Ｖに入れ１ヶ月程度乾燥させ固形化し、石鹸Ｓとして出荷する。
【産業上の利用可能性】
【００１８】
従来の廃油の石鹸は、リサイクルとか環境問題の解決のみで特殊性がないゆえに、それを製造する者もその石鹸を使う者もボランティア意識のみで事業としての満足感はなかった。これを、その石鹸に独特の効果があり高級感があるしかも手作りのものとしたので、それを使用する者はその石鹸に特別な価値観を持つ。それによって、その石鹸を製造する側では、それを新たな事業としての自覚が生まれ、新たな社会的な存在感が生まれる。
【図面の簡単な説明】
【００１９】
【図１】本発明にかかる天ぷらの廃油を用いた石鹸の製造方法の一実施例のブロックダイアグラムを示したものである。
【図２】図１のものの実施例の説明図であって、各材料を容器に注いでいる鳥瞰図を示したものである。
【図３】図１のものの実施例の説明図であって、各材料をかき混ぜている鳥瞰図である。
【図４】従来のものの実施例の説明図であって、かき混ぜた各材料を紙箱に注いでいる鳥瞰図を示したものである。
【図５】図１のものの実施例の説明図であって、紙箱に注いで固まった石鹸をカットしているいる斜視図である。
【図６】図４のものの実施例の説明図であって、カットした石鹸を袋に入れた鳥瞰図を示したものである。
【図７】図１のものの実施例の説明図であって、完成した石鹸を袋に入れた鳥瞰図を示したものである。
【符号の説明】
【００２０】
１  苛性ソーダ
２  混合水
３  無水エタノール
４  白ごま油
５  コーヒー豆酢液
Ｃ  容器
【図１】
2006104247.tif 000003
【図２】
2006104247.tif 000004
【図３】
2006104247.tif 000005
【図４】
2006104247.tif 000006
【図５】
2006104247.tif 000007
【図６】
2006104247.tif 000008
【図７】
2006104247.tif 000009